(57)【特許請求の範囲】
【請求項１】
ゲートウェイデバイスによって実行される方法であって、
ホーム基地局から移動通信デバイスを登録するための要求を受信するステップと、
前記ホーム基地局がオープンアクセスモードホーム基地局であるか又はクローズドアクセスモードホーム基地局であるかを前記ホーム基地局から受信したホーム基地局登録要求メッセージ内に含まれる情報に基づいて判断するステップと、
前記判断するステップが、前記ホーム基地局がクローズドアクセスモードホーム基地局であると判断した場合、前記移動通信デバイスのアクセス制御を実行するステップと、
該アクセス制御が成功した場合または前記判断するステップが、前記ホーム基地局がオープンアクセスモードホーム基地局であると判断した場合、前記移動通信デバイスを前記ゲートウェイデバイスに登録するステップと、
前記移動通信デバイスの登録が受理された場合、登録受理メッセージを前記ホーム基地局に送信するステップと、
を含む方法。
【請求項２】
前記ホーム基地局登録要求メッセージ内に含まれる前記情報は、前記ホーム基地局登録要求メッセージ内のオプションの要素の有無によって規定され、前記オプションの要素が存在する場合、前記ゲートウェイデバイスは前記ホーム基地局がクローズドアクセスモードホーム基地局及びオープンアクセスモードホーム基地局のうちの一方であると判断し、
前記オプションの要素が存在しない場合、前記ゲートウェイデバイスは前記ホーム基地局がクローズドアクセスモードホーム基地局及びオープンアクセスモードホーム基地局のうちの他方であると判断する、請求項１に記載の方法。
【請求項３】
前記ホーム基地局登録要求メッセージ内に含まれる前記情報は、前記ホーム基地局登録要求メッセージ内のアクセス制御リストの有無によって規定され、前記アクセス制御リストが存在する場合、前記ゲートウェイデバイスは前記ホーム基地局がクローズドアクセスモードホーム基地局であると判断し、
前記アクセス制御リストが存在しない場合、前記ゲートウェイデバイスは前記ホーム基地局がオープンアクセスモードホーム基地局であると判断する、請求項１に記載の方法。
【請求項４】
前記ホーム基地局登録要求メッセージ内に含まれる前記情報は前記ホーム基地局登録要求メッセージ内の必須要素のコンテンツによって規定される、請求項１に記載の方法。
【請求項５】
前記ホーム基地局登録要求メッセージ内に含まれる前記情報は、前記必須要素内のエントリの有無によって規定され、前記必須要素のエントリが存在する場合、前記ゲートウェイデバイスは、前記ホーム基地局がクローズドアクセスモードホーム基地局及びオープンアクセスモードホーム基地局のうちの一方であると判断し、
前記必須要素の前記エントリが存在しない場合、前記ゲートウェイデバイスは前記ホーム基地局がクローズドアクセスモードホーム基地局及びオープンアクセスモードホーム基地局のうちの他方であると判断する、
請求項４に記載の方法。
【請求項６】
前記ホーム基地局登録要求メッセージ内に含まれる前記情報は、前記ホーム基地局登録要求メッセージ内の必須アクセス制御リスト内のエントリの有無によって規定され、
前記必須アクセス制御リストが１つ又は複数エントリを含む場合、前記ゲートウェイデバイスは前記ホーム基地局がクローズドアクセスモードホーム基地局であると判断し、
前記必須アクセス制御リストが空である場合、前記ゲートウェイデバイスは前記ホーム基地局がオープンアクセスモードホーム基地局であると判断する、請求項５に記載の方法。
【請求項７】
前記ホーム基地局は、ハイブリッドアクセスモードホーム基地局とすることもでき、前記方法は、ハイブリッドアクセスモードホーム基地局をオープンアクセスモードホーム基地局として扱うステップを含む、請求項１〜６のいずれか１項に記載の方法。
【請求項８】
前記必須要素は、前記ホーム基地局がオープンアクセスモードホーム基地局であるか又はクローズドアクセスモードホーム基地局であるかを規定する、請求項４に記載の方法。
【請求項９】
前記必須要素は、前記ホーム基地局がオープンアクセスモードホーム基地局であるか、クローズドアクセスモードホーム基地局であるか、又はハイブリッドアクセスモードホーム基地局であるかを規定する、請求項４に記載の方法。
【請求項１０】
前記判断するステップは、前記ホーム基地局がオープンアクセスモードホーム基地局であるか、クローズドアクセスモードホーム基地局であるか、又はハイブリッドアクセスモードホーム基地局であるかを判断し、
前記ホーム基地局がハイブリッドアクセスモードホーム基地局である場合、前記方法は、前記移動通信デバイスのアクセス制御を実行するステップと、
該アクセス制御が成功した場合、前記移動通信デバイスを前記ゲートウェイデバイスに登録すると共に前記移動通信デバイスが前記ホーム基地局に関連付けられるクローズド加入者グループの一部であることを特定するデータを記憶するステップと、
前記アクセス制御が成功しなかった場合、前記移動通信デバイスを前記ゲートウェイデバイスに登録すると共に、前記移動通信デバイスが前記ホーム基地局に関連付けられるクローズド加入者グループの一部でないことを特定するデータを記憶するステップと、を含む、請求項９に記載の方法。
【請求項１１】
前記判断するステップが、前記ホーム基地局がオープンアクセスモードホーム基地局であると判断した場合、前記移動通信デバイスのアクセス制御を行わないことを特徴とする請求項１〜１０のいずれか１項に記載の方法。
【請求項１２】
ホーム基地局によって実行される方法であって、
ゲートウェイデバイスに、前記ホーム基地局がオープンアクセスモードホーム基地局であるか又はクローズドアクセスモードホーム基地局であるかを特定するデータを含むホーム基地局登録要求メッセージを送信するステップと、
移動通信デバイスの登録要求を前記ゲートウェイデバイスに送信するステップと、
を含む方法。
【請求項１３】
前記データは前記ホーム基地局登録要求メッセージ内のオプションの要素の有無によって規定される、請求項１２に記載の方法。
【請求項１４】
前記データは、前記ホーム基地局がクローズドアクセスモードホーム基地局である場合、前記ホーム基地局は前記ホーム基地局登録要求メッセージ内にアクセス制御リストを含め、
前記ホーム基地局がオープンアクセスモードホーム基地局である場合、前記ホーム基地局は前記ホーム基地局登録要求メッセージ内に前記アクセス制御リストを含めないように、前記ホーム基地局登録要求メッセージ内の前記アクセス制御リストの有無によって規定される、請求項１２又は１３に記載の方法。
【請求項１５】
前記データは前記ホーム基地局登録要求メッセージ内の必須要素のコンテンツによって規定される、請求項１２に記載の方法。
【請求項１６】
前記データは前記必須要素内のエントリの有無によって規定される、請求項１５に記載の方法。
【請求項１７】
前記データは、前記ホーム基地局登録要求メッセージ内の必須アクセス制御リスト内のエントリの有無によって規定され、前記ホーム基地局がクローズドアクセスモードホーム基地局である場合、前記ホーム基地局は前記ホーム基地局登録要求メッセージ内の前記必須アクセス制御リスト内にエントリを含め、前記ホーム基地局がオープンアクセスモードホーム基地局である場合、前記ホーム基地局は前記ホーム基地局登録要求メッセージ内の前記必須アクセス制御リスト内にエントリを含めない、請求項１６に記載の方法。
【請求項１８】
前記必須要素は、前記ホーム基地局がオープンアクセスモードホーム基地局であるか、クローズドアクセスモードホーム基地局であるか、又はハイブリッドアクセスモードホーム基地局であるかを規定する、請求項１５に記載の方法。
【請求項１９】
ゲートウェイデバイスであって、
ホーム基地局から移動通信デバイスを登録するための要求を受信する手段と、
前記ホーム基地局がオープンアクセスモードホーム基地局であるか又はクローズドアクセスモードホーム基地局であるかをホーム基地局から受信したホーム基地局登録要求メッセージに含まれる情報に基づいて判断する手段と、
前記判断する手段が、前記ホーム基地局がクローズドアクセスモードホーム基地局であると判断した場合、前記移動通信デバイスのアクセス制御を実行する手段と、
該アクセス制御が成功した場合または前記判断する手段が、前記ホーム基地局がオープンアクセスモードホーム基地局であると判断した場合、前記移動通信デバイスを前記ゲートウェイデバイスに登録する手段と、
前記移動通信デバイスの登録が受理された場合、登録受理メッセージを前記ホーム基地局に送信する手段と、
を備える、ゲートウェイデバイス。
【請求項２０】
前記ホーム基地局登録要求メッセージ内に含まれる前記情報は、前記ホーム基地局登録要求メッセージ内のオプションの要素の有無によって規定され、前記オプションの要素が存在する場合、前記ゲートウェイデバイスは前記ホーム基地局がクローズドアクセスモードホーム基地局及びオープンアクセスモードホーム基地局のうちの一方であると判断するように動作可能であり、
前記オプションの要素が存在しない場合、前記ゲートウェイデバイスは前記ホーム基地局がクローズドアクセスモードホーム基地局及びオープンアクセスモードホーム基地局のうちの他方であると判断するように動作可能である、請求項１９に記載のゲートウェイデバイス。
【請求項２１】
前記ホーム基地局登録要求メッセージ内に含まれる前記情報は、前記ホーム基地局登録要求メッセージ内のアクセス制御リストの有無によって規定され、前記アクセス制御リストが存在する場合、前記ゲートウェイデバイスは前記ホーム基地局がクローズドアクセスモードホーム基地局であると判断するように動作可能であり、
前記アクセス制御リストが存在しない場合、前記ゲートウェイデバイスは前記ホーム基地局がオープンアクセスモードホーム基地局であると判断するように動作可能である、請求項１９又は２０に記載のゲートウェイデバイス。
【請求項２２】
前記ホーム基地局登録要求メッセージ内に含まれる前記情報は前記ホーム基地局登録要求メッセージ内の必須要素のコンテンツによって規定される、請求項１９に記載のゲートウェイデバイス。
【請求項２３】
前記ホーム基地局登録要求メッセージ内に含まれる前記情報は、前記必須要素内のエントリの有無によって規定され、前記必須要素の前記エントリが存在する場合、前記ゲートウェイデバイスは、前記ホーム基地局がクローズドアクセスモードホーム基地局及びオープンアクセスモードホーム基地局のうちの一方であると判断するように動作可能であり、
前記必須要素の前記エントリが存在しない場合、前記ゲートウェイデバイスは前記ホーム基地局がクローズドアクセスモードホーム基地局及びオープンアクセスモードホーム基地局のうちの他方であると判断するように動作可能である、請求項２２に記載のゲートウェイデバイス。
【請求項２４】
前記ホーム基地局登録要求メッセージ内に含まれる前記情報は、前記ホーム基地局登録要求メッセージ内の必須アクセス制御リスト内のエントリの有無によって規定され、前記必須アクセス制御リストが１つ又は複数エントリを含む場合、前記ゲートウェイデバイスは前記ホーム基地局がクローズドアクセスモードホーム基地局であると判断するように動作可能であり、
前記必須アクセス制御リストが空である場合、前記ゲートウェイデバイスは前記ホーム基地局がオープンアクセスモードホーム基地局であると判断するように動作可能である、請求項２３に記載のゲートウェイデバイス。
【請求項２５】
前記ホーム基地局は、ハイブリッドアクセスモードホーム基地局とすることもでき、前記ゲートウェイデバイスは、ハイブリッドアクセスモードホーム基地局をオープンアクセスモードホーム基地局と同じに扱うように動作可能である、請求項１９〜２４のいずれか１項に記載のゲートウェイデバイス。
【請求項２６】
前記必須要素は、前記ホーム基地局がオープンアクセスモードホーム基地局であるか又はクローズドアクセスモードホーム基地局であるかを規定する、請求項２２に記載のゲートウェイデバイス。
【請求項２７】
前記必須要素は、前記ホーム基地局がオープンアクセスモードホーム基地局であるか、クローズドアクセスモードホーム基地局であるか、又はハイブリッドアクセスモードホーム基地局であるかを規定する、請求項２２に記載のゲートウェイデバイス。
【請求項２８】
前記判断する手段は、前記ホーム基地局がオープンアクセスモードホーム基地局であるか、クローズドアクセスモードホーム基地局であるか、又はハイブリッドアクセスモードホーム基地局であるかを判断するように動作可能であり、
前記ホーム基地局がハイブリッドアクセスモードホーム基地局である場合、前記ゲートウェイデバイスは、前記移動通信デバイスのアクセス制御を実行し、
該アクセス制御が成功した場合、前記移動通信デバイスを前記ゲートウェイデバイスに登録すると共に前記移動通信デバイスが前記ホーム基地局に関連付けられるクローズド加入者グループの一部であることを特定するデータを記憶するように動作可能であり、
前記アクセス制御が成功しなかった場合、前記ゲートウェイデバイスは、前記移動通信デバイスを前記ゲートウェイデバイスに登録すると共に前記移動通信デバイスが前記ホーム基地局に関連付けられるクローズド加入者グループの一部でないことを特定するデータを記憶するように動作可能である、請求項２７に記載のゲートウェイデバイス。
【請求項２９】
前記判断する手段が、前記ホーム基地局がオープンアクセスモードホーム基地局であると判断した場合、前記アクセス制御を実行しないことを特徴とする、請求項１９〜２８のいずれか１項に記載のゲートウェイデバイス。
【請求項３０】
ホーム基地局であって、
ゲートウェイデバイスに、該ホーム基地局がオープンアクセスモードホーム基地局であるか又はクローズドアクセスモードホーム基地局であるかを特定するデータを含むホーム基地局登録要求メッセージを送信する手段と、
移動通信デバイスの登録要求を前記ゲートウェイデバイスに送信する手段と、
を備える、ホーム基地局。
【請求項３１】
前記データは前記ホーム基地局登録要求メッセージ内のオプションの要素の有無によって規定される、請求項３０に記載のホーム基地局。
【請求項３２】
前記データは、前記ホーム基地局登録要求メッセージ内のアクセス制御リストの有無によって規定され、前記ホーム基地局がクローズドアクセスモードホーム基地局である場合、前記ホーム基地局が前記ホーム基地局登録要求メッセージ内に前記アクセス制御リストを含めるように動作可能であり、
前記ホーム基地局がオープンアクセスモードホーム基地局である場合、前記ホーム基地局が前記ホーム基地局登録要求メッセージ内に前記アクセス制御リストを含めないように動作可能である、請求項３０に記載のホーム基地局。
【請求項３３】
前記データは前記ホーム基地局登録要求メッセージ内の必須要素のコンテンツによって規定される、請求項３０に記載のホーム基地局。
【請求項３４】
前記データは前記必須要素内のエントリの有無によって規定される、請求項３３に記載のホーム基地局。
【請求項３５】
前記データは、前記ホーム基地局登録要求メッセージ内の必須アクセス制御リスト内のエントリの有無によって規定され、前記ホーム基地局がクローズドアクセスモードホーム基地局である場合、前記ホーム基地局は前記ホーム基地局登録要求メッセージ内の前記必須アクセス制御リスト内にエントリを含めるように動作可能であり、
前記ホーム基地局がオープンアクセスモードホーム基地局である場合、前記ホーム基地局は前記ホーム基地局登録要求メッセージ内の前記必須アクセス制御リスト内にエントリを含めないように動作可能である、請求項３４に記載のホーム基地局。
【請求項３６】
前記必須要素は、前記ホーム基地局がオープンアクセスモードホーム基地局であるか、クローズドアクセスモードホーム基地局であるか、又はハイブリッドアクセスモードホーム基地局であるかを規定する、請求項３３に記載のホーム基地局。
【請求項３７】
ゲートウェイデバイスであって、
ホーム基地局から移動通信デバイスを登録するための要求を受信するように動作可能な受信機と、
コントローラであって、
ｉ）前記ホーム基地局がオープンアクセスモードホーム基地局であるか又はクローズドアクセスモードホーム基地局であるかをホーム基地局から受信したホーム基地局登録要求メッセージに含まれる情報に基づいて判断し、
ｉｉ）前記ホーム基地局がクローズドアクセスモードホーム基地局であると判断された場合、前記移動通信デバイスのアクセス制御を実行し、該アクセス制御が成功した場合または前記ホーム基地局がオープンアクセスモードホーム基地局であると判断した場合、前記移動通信デバイスを前記ゲートウェイデバイスに登録する、
ように動作可能なコントローラと、
前記移動通信デバイスの登録が受理された場合、登録受理メッセージを前記ホーム基地局に送信するように動作可能な出力部と、
を備える、ゲートウェイデバイス。
【請求項３８】
ホーム基地局であって、
ゲートウェイデバイスに、該ホーム基地局がオープンアクセスモードホーム基地局であるか又はクローズドアクセスモードホーム基地局であるかを特定するデータを含むホーム基地局登録要求メッセージを送信するように動作可能な出力部と、
前記移動通信デバイスの登録要求を前記ゲートウェイデバイスに送信するように動作可能な送信機と、
を備える、ホーム基地局。
【請求項３９】
請求項３０〜３６又は３８のいずれか１項に記載のホーム基地局と、請求項１９〜２９又は３７のいずれか１項に記載のゲートウェイデバイスと、前記ホーム基地局及び前記ゲートウェイデバイスに登録するように動作可能な移動通信デバイスとを備えるシステム。
【発明の詳細な説明】
【技術分野】
【０００１】
本発明は移動通信ネットワークに関し、排他的ではないが特に、３ＧＰＰ標準規格又はその等価物若しくは派生物に従って動作するネットワークに関する。本発明は、排他的ではないが特に、ホーム基地局とホーム基地局ゲートウェイデバイスとの間のインターフェースに関する。
【０００２】
本出願は、２００８年１１月４日に出願された英国特許出願第０８２０１８２．４号に基づくと共に該特許出願からの利益又は優先権を主張し、該特許出願の開示は参照によりその全体が本明細書に援用される。
【背景技術】
【０００３】
３ＧＰＰ標準規格の下で、ＮｏｄｅＢ（又はＬＴＥにおけるｅＮＢ）は、移動デバイスが基地局を介してコアネットワークに接続する、基地局である。最近では、３ＧＰＰ標準化団体は、公式のアーキテクチャを採用し、ホーム基地局（ＨＮＢ）のための新たな標準規格に対する取り組みを始めた。ホーム基地局がＬＴＥ標準規格に従って動作している場合、ＨＮＢはＨｅＮＢと呼ばれることがある。しかしながら、単純にするために、以下の記述ではＨＮＢの用語のみを使用する。ＨＮＢは、自宅内での無線カバレッジ（３Ｇ／４Ｇ）を提供し、（たとえばインターネットへのＡＤＳＬリンクを介して）適切な公衆網を介し、ＨＮＢゲートウェイ（ＨＮＢ−ＧＷ）を介して移動ネットワークに接続する。この標準規格設定過程の一環として、ＨＮＢとＨＮＢ−ＧＷとの間の登録手順が合意されている。
【０００４】
アクセス制御メカニズムが、ＨＮＢ−ＧＷにおいて必須であるのに対し、ＨＮＢにおけるプレリリース８ユーザ機器（ＵＥ）にはオプションで提供されることも合意されている。さらに、ＨＮＢ展開の様々な発展シナリオに関して、ＨＮＢが様々なアクセス制御メカニズム、すなわち「オープン」、「クローズド」、及び「ハイブリッド」で動作し得ることが認識されている。当業者であれば理解するように、ＨＮＢがオープンである場合、ＨＮＢ−ＧＷにおける必須アクセス制御はプレリリース８ＵＥには必要とされない。ＨＮＢがハイブリッドである場合、ＨＮＢ−ＧＷにおける必須アクセス制御はプレリリース８ＵＥには必要とされない場合がある。
【０００５】
当業者の理解の効率のために、本発明は３Ｇシステムの文脈において詳細に説明されるが、本発明の原理は、移動デバイス又はユーザ機器（ＵＥ）がいくつかの基地局のうちの１つと通信する他のシステムに適用することができる。該システムの対応する要素は必要に応じて変更されている。
【発明の概要】
【発明が解決しようとする課題】
【０００６】
本発明の実施の形態は、ＨＮＢに、能力情報（capability information）をＨＮＢ−ＧＷに提供させることによって、上記の問題の１つ又は複数に対処することを目的とする。
【課題を解決するための手段】
【０００７】
１つの態様によれば、本発明は、ゲートウェイデバイスによって実行される方法であって、ホーム基地局から移動通信デバイスを登録するための要求を受信するステップと、前記ホーム基地局がオープンアクセスモードホーム基地局であるか又はクローズドアクセスモードホーム基地局であるかを判断するステップと、前記判断するステップが、前記ホーム基地局がクローズドモードホーム基地局であると判断した場合、前記移動通信デバイスのアクセス制御を実行すると共に、該アクセス制御が成功した場合、前記移動通信デバイスを前記ゲートウェイデバイスに登録するステップと、前記判断するステップが、前記ホーム基地局がオープンモードホーム基地局であると判断した場合、前記アクセス制御を実行することなく前記移動通信デバイスを前記ゲートウェイデバイスに登録するステップと、前記移動通信デバイスの登録が受理された場合、登録受理メッセージを前記ホーム基地局に送信するステップと、を含む、方法を提供する。
【０００８】
１つの実施の形態では、前記ゲートウェイは、たとえば前記登録要求内の、前記ホーム基地局から受信した情報に基づいて、該ホーム基地局がオープンアクセスモードホーム基地局であるか又はクローズドアクセスモードホーム基地局であるかを判断する。前記情報は、前記ホーム基地局登録要求内のオプションの要素の有無によって規定することができる。たとえば、前記ホーム基地局登録要求内のアクセス制御リストの有無によって、前記アクセス制御リストが存在する場合、前記ゲートウェイデバイスは前記ホーム基地局がクローズドアクセスホーム基地局であると判断し、前記アクセス制御リストが存在しない場合、前記ゲートウェイデバイスは前記ホーム基地局がオープンアクセスホーム基地局であると判断する。
【０００９】
代替的に、前記情報は前記ホーム基地局登録要求内の必須要素のコンテンツよって規定することができる。たとえば、前記必須要素内のエントリの有無によって規定されてもよい。１つの実施の形態では、前記情報は、前記ホーム基地局登録要求内の必須アクセス制御リスト内のエントリの有無によって規定され、前記アクセス制御リストが１つ又は複数のエントリを含む場合、前記ゲートウェイデバイスは前記ホーム基地局がクローズドアクセスホーム基地局であると判断し、前記アクセス制御リストが空である場合、前記ゲートウェイデバイスは前記ホーム基地局がオープンアクセスホーム基地局であると判断する。
【００１０】
前記ホーム基地局の前記アクセスモードは、オープン、クローズド、又はハイブリッドとすることができ、前記ゲートウェイは、ハイブリッドアクセスモードホーム基地局を、オープンアクセスモードホーム基地局若しくはクローズドアクセスモードホーム基地局、又はオープンアクセスモード及びクローズドアクセスモード双方のホーム基地局として扱うことができる。１つの実施の形態では、前記必須要素は、前記ホーム基地局がオープンアクセスホーム基地局であるか、クローズドアクセスホーム基地局であるか、又はハイブリッドアクセスホーム基地局であるかを規定する。
【００１１】
前記ホーム基地局がハイブリッドアクセスホーム基地局である場合、前記方法は前記移動通信デバイスのアクセス制御を実行し、該アクセス制御が成功した場合、前記移動通信デバイスを前記ゲートウェイデバイスに登録すると共に前記移動通信デバイスが前記ホーム基地局に関連付けられるクローズド加入者グループの一部であることを特定するデータを生成するステップと、前記アクセス制御が成功しなかった場合、前記移動通信デバイスを前記ゲートウェイデバイスに登録すると共に前記移動通信デバイスが前記ホーム基地局に関連付けられるクローズド加入者グループの一部でないことを特定するデータを生成するステップと、を含むことができる。
【００１２】
別の実施形態では、前記ゲートウェイは、オペレーション及び管理データベースのような中央データベース内に記憶されるデータに基づいて、前記ホーム基地局がオープンアクセスモードホーム基地局であるか又はクローズドアクセスモードホーム基地局であるかを判断する。
【００１３】
本発明は、ホーム基地局によって実行される方法であって、前記ゲートウェイデバイスに、前記ホーム基地局がオープンアクセスモードホーム基地局であるか又はクローズドアクセスモードホーム基地局であるかを特定するデータを送信するステップと、移動通信デバイスから要求を受信するステップと、前記移動通信デバイスの登録要求を前記ゲートウェイデバイスに送信するステップと、前記移動通信デバイスの登録が受理される場合、前記ゲートウェイデバイスから登録受理メッセージを受信するステップと、を含む、方法も提供する。
【００１４】
前記ホーム基地局は、前記ホーム基地局によって送信されるホーム基地局登録要求メッセージ内に前記データを含めることができる。
【００１５】
１つの実施の形態では、前記データは前記ホーム基地局登録要求内のオプションの要素の有無によって規定される。たとえば、前記データは、前記ホーム基地局登録要求内のアクセス制御リストの有無によって規定することができ、前記ホーム基地局がクローズドアクセスホーム基地局である場合、前記ホームアクセス基地局は前記ホーム基地局登録要求内に前記アクセス制御リストを含み、前記ホーム基地局がオープンアクセスホーム基地局である場合、前記ホームアクセス基地局は前記ホーム基地局登録要求内に前記アクセス制御リストを含まない。
【００１６】
別の実施の形態では、前記データは前記ホーム基地局登録要求内の必須要素のコンテンツによって規定することができる。たとえば、データは、前記必須要素内のエントリの有無によって規定することができる。たとえば、データは、前記ホーム基地局登録要求内の必須アクセス制御リスト内のエントリの有無によって規定することができ、前記ホーム基地局がクローズドアクセスホーム基地局である場合、前記ホームアクセス基地局は前記ホーム基地局登録要求内の前記アクセス制御リスト内にエントリを含み、前記ホーム基地局がオープンアクセスホーム基地局である場合、前記ホームアクセス基地局は前記ホーム基地局登録要求内の前記アクセス制御リスト内にエントリを含まない。
【００１７】
さらなる実施の形態において、前記必須要素は、前記ホーム基地局がオープンアクセスホーム基地局であるか、クローズドアクセスホーム基地局であるか、又はハイブリッドアクセスホーム基地局であるかを規定することができる。
【００１８】
本発明は、対応するゲートウェイデバイス及びホーム基地局も提供する。本発明は、ホーム基地局がオープンアクセスモード又はクローズドアクセスモードホーム基地局であるか否かを特定するデータを含むメッセージも提供する。
【００１９】
本発明は、全ての開示される方法について、対応する機器上で実行するための対応するコンピュータプログラム又はコンピュータプログラム製品、前記機器そのもの（ユーザ機器、ノード、又はそれらの構成要素）、及び該機器を更新する方法を提供する。
【００２０】
これより本発明の実施形態を、添付の図面を参照して例として説明する。
【図面の簡単な説明】
【００２１】
【図１】実施形態が適用可能なタイプの移動通信システムを概略的に示す図である。
【図２】図１に示すシステムの部分を形成する移動電話のブロック図である。
【図３】図１に示すシステムの部分を形成するホーム基地局のブロック図である。
【図４】図１に示すシステムの部分を形成するホーム基地局ゲートウェイのブロック図である。
【図５】ホーム基地局をホーム基地局ゲートウェイに登録するための登録手順を示すタイミング図である。
【図６】移動電話がホーム基地局ゲートウェイに登録するときに実行される登録手順を示すタイミング図である。
【発明を実施するための形態】
【００２２】
概説
図１は、ユーザが自宅９から離れているときに、移動電話（ＭＴ）３のユーザが、３Ｇ無線アクセスネットワーク（ＲＡＮ）基地局５、無線ネットワークコントローラ７、及びコア電話網８を介して他のユーザ（図示せず）と通信することができると共に、ユーザが自宅にいるときに、ホーム基地局（ＨＮＢ）１１、インターネット１３、ホーム基地局ゲートウェイ（ＨＮＢ−ＧＷ）１５、及びコア電話網８を介して他のユーザ（図示せず）と通信することができる、移動（セルラ）通信システム１を概略的に示している。ＨＮＢ１１は通常、ＡＤＳＬ又はケーブル接続のような適切な住宅用のインターネット接続を介してＨＮＢ−ＧＷ１５に接続する。
【００２３】
移動電話
図２は、図１に示す移動電話３の主要構成要素を概略的に示している。図示されるように、移動電話３は、１つ又は複数のアンテナ２５を介してＲＡＮ基地局５又はＨＮＢ１１に対し信号を送受信するように動作可能な送受信機回路２３を備える。図示されるように、移動電話３は、該移動電話３の動作を制御するコントローラ２７も備え、該コントローラは、送受信機回路２３、並びにスピーカ２９、マイクロフォン３１、ディスプレイ３３、及びキーパッド３５に接続される。コントローラ２７はメモリ３７内に記憶されるソフトウェア命令に従って動作する。図示されるように、これらのソフトウェア命令には、中でも、オペレーティングシステム３９及び移動電話登録モジュール４１が含まれる。この実施形態では、移動電話登録モジュール４１によって、ユーザが自宅にいるとき、又はユーザが自身のＨＮＢ１１の範囲内にいるときに移動電話３が登録するホーム基地局１１を、ユーザが選択することが可能になる。この選択は自動であってもよいし、ユーザによって手動で制御されてもよい。
【００２４】
ホーム基地局
図３は、図１に示すホーム基地局（ＨＮＢ）１１の主要構成要素を示すブロック図である。図示されるように、ＨＮＢ１１は、１つ又は複数のアンテナ５３を介して移動電話３に対し信号を送受信するように動作可能であると共にＨＮＢ−ＧＷインターフェース５５を介してＨＮＢ−ＧＷ１５に対し信号を送受信するように動作可能な、送受信機回路５１を備える。送受信機回路５１の動作は、メモリ５９内に記憶されているソフトウェアに従ってコントローラ５７によって制御される。メモリ５９内に記憶されているソフトウェアには、中でも、オペレーティングシステム６１、基地局登録モジュール６３、及び電話登録モジュール６５が含まれる。基地局登録モジュール６３は、ＨＮＢをＨＮＢ−ＧＷ１５に登録するように動作可能であり、移動電話登録モジュール６５は移動電話３を該移動電話自体に及びＨＮＢ−ＧＷ１５に登録するように動作可能である。
【００２５】
ＨＮＢゲートウェイ
図４は、図１に示すＨＮＢゲートウェイ（ＨＮＢ−ＧＷ）１５の主要構成要素を示すブロック図である。図示するように、ＨＮＢ−ＧＷ１５は、ＨＮＢインターフェース１０３を介してＨＮＢ１１に対し信号を送受信するように動作可能であると共にコアネットワークインターフェース１０５を介してコアネットワーク８に対し信号を送受信するように動作可能な、送受信機回路１０１を備える。送受信機回路１０１の動作は、メモリ１０９内に記憶されているソフトウェアに従ってコントローラ１０７によって制御される。メモリ１０９内に記憶されているソフトウェアには、中でも、オペレーティングシステム１１１、ＨＮＢ登録モジュール１１３、及び移動電話登録モジュール１１５が含まれる。ＨＮＢ登録モジュール１１３はＨＮＢ１１の登録を制御するように動作可能であり、移動電話登録モジュールは移動電話３の登録を制御すると共に必要に応じてアクセス制御を実行するように動作可能である。
【００２６】
上記の説明において、移動電話３、基地局５、及びＨＮＢゲートウェイ１５は、理解を容易にするために、複数の別個のモジュール（登録モジュール等）を有するものとして説明されている。これらのモジュールは、たとえば既存のシステムが本発明を実施するように変更されなくてはならない特定の用途の場合、このように提供することができるが、他の用途、たとえば始めから本発明の特徴を念頭において設計されたシステムでは、これらのモジュールをオペレーティングシステム又はコード全体に組み込むことができるため、これらのモジュールは別個のエンティティとして識別可能でない場合がある。
【００２７】
アクセス制御
上述したように、ＨＮＢ１１について３つの異なるタイプのアクセスモードが規定される。
・オープンアクセスモード：ＨＮＢは、任意の移動電話３が通常セルを介して発呼及び着呼することができる該通常セルとして動作する、
・クローズドアクセスモード：ＨＮＢは、ＣＳＧメンバのみがアクセスを許可される（これはＲｅｌ−８において規定されるモードである）クローズド加入者グループ（Closed Subscriber Group）（ＣＳＧ）セルとして動作する、及び
・ハイブリッドアクセスモード：同時に非ＣＳＧメンバがアクセスを許可されるＣＳＧセル。
【００２８】
ハイブリッドアクセスモードはリリース９のために設計されたが、運営者（operator）は、リリース８のタイムスケールに影響を与えない場合、ハイブリッドアクセスモードがリリース８において実施されることを推奨したい。
【００２９】
理解されるように、クローズドアクセスモードで動作しているＨＮＢ１１の場合、ＨＮＢ−ＧＷ１５はアクセス制御を実行して、コアネットワーク８へのアクセスを、それぞれの加入者グループに属する移動電話３のみに限定しなくてはならないのに対し、オープンモードで動作しているＨＮＢ１１の場合、ＨＮＢ−ＧＷ１５がアクセス制御を実行する必要はなく、ハイブリッドモードで動作しているＨＮＢ１１の場合、ＨＮＢ−ＧＷ１５がアクセス制御を実行する必要がない場合がある。したがって、この実施形態では、ＨＮＢ１１がＨＮＢ−ＧＷ１５に該ＨＮＢ１１のアクセスモード能力について通知し、それによってＨＮＢ−ＧＷ１５はそのＨＮＢ１１を通じて登録を求める移動電話３に対しアクセス制御を実行するか否かを判断することができる。
【００３０】
これより、ＨＮＢ１１が該ＨＮＢのアクセスモード能力をＨＮＢ−ＧＷ１５にシグナリングするための複数の技法を説明する。
【００３１】
ＨＮＢ登録手順
ＨＮＢ登録手順の目的は、ＨＮＢ１１をＨＮＢ−ＧＷ１５に登録して、該ＨＮＢ−ＧＷが該ＨＮＢ１１のためのサービス及びコアネットワーク接続性を提供することを可能にすることである。全体的なプロセスが図５に示されている。図示されるように、プロセスは、ＨＮＢ１１がＨＮＢ−ＧＷにＨＮＢ登録要求メッセージを送信すること、及びそれに応答してＨＮＢ−ＧＷ１５がＨＮＢ登録受理メッセージを送信することを含む。ＨＮＢ１１のアクセスモード能力をＨＮＢ−ＧＷ１５にシグナリングするための多数の異なるオプションが存在する。
【００３２】
オプション１：ＨＮＢ−ＧＷ１５は、アクセス制御リスト情報要素（ＩＥ）に基づいてＨＮＢ１１のアクセスモードを推測することができる。したがって、ＨＮＢ１１からＨＮＢ−ＧＷ１５に送信されるＨＮＢＡＰ  ＨＮＢ登録要求メッセージ内にオプションのアクセス制御リストＩＥを含むことが提案される。ＨＮＢ１１がクローズドアクセスモードである場合、該ＨＮＢはＨＮＢＡＰ登録要求メッセージ内にオプションのアクセス制御リストＩＥを含む。そうではなく、ＨＮＢがオープンアクセスモード又はハイブリッドアクセスモードである場合、該ＨＮＢはＨＮＢＡＰ  ＨＮＢ登録要求メッセージ内にオプションのアクセス制御リストＩＥを含まない。したがって、新たなアクセス制御リストＩＥをＨＮＢＡＰ  ＨＮＢ登録要求メッセージ内に含める必要がある。
【００３３】
【表１】
0005618108.tif 000002
【００３４】
このメッセージは、ＨＮＢ−ＧＷ１５においてＨＮＢ１１を登録するために、該ＨＮＢ１１によって該ＨＮＢ−ＧＷ１５に送信される。
【００３５】
方向：ＨＮＢ→ＨＮＢ−ＧＷ
【００３６】
【表２】
0005618108.tif 000003
【００３７】
注記１：上記のオプションは、ＨＮＢ−ＧＷ１５がオープンアクセスＨＮＢ及びハイブリッドアクセスＨＮＢを同じものとして扱い、したがって、ハイブリッドＨＮＢがＨＮＢ−ＧＷ１５に該ハイブリッドＨＮＢのアクセス制御リストに関して通知する必要がないことを想定している。現在のところ、標準規格においてこの想定が有効であるか否かは明確でない。その結果、ＨＮＢ−ＧＷ１５がハイブリッドＨＮＢのアクセス制御リストを有しない場合、オプションは機能しない。
【００３８】
注記２：現在の標準規格文書において、アクセス制御リスト内にＩＭＳＩ（国際移動加入者アイデンティティ）を有しない（すなわち空アクセス制御リスト）クローズドモードＨＮＢを有することが可能であるか否かは明確でない。クローズドＨＮＢが空アクセス制御リストを有することができないと想定される場合、ＨＮＢＡＰ  ＨＮＢ登録要求メッセージにおいてアクセス制御リストＩＥの存在が（上記で提案されたようにオプションではなく）必須にされなくてはならない。このように、ＨＮＢ−ＧＷ１５がＨＮＢＡＰ  ＨＮＢ登録要求において空アクセス制御リストＩＥを受信する場合、該ＨＮＢ−ＧＷ１５は、ＨＮＢ１１がオープンアクセスモードにあると推測することができ、そうではなく、少なくとも１つのエントリがアクセス制御リストＩＥ内に存在する場合、ＨＮＢ−ＧＷはＨＮＢ１１がクローズドモードＨＮＢであると判断することができる。
【００３９】
オプション２：ＨＮＢ１１は、以下の表に示すように、新たなＨＮＢ能力情報ＩＥを使用することによって、ＨＮＢ登録手順中に、ＨＮＢＡＰ  ＨＮＢ登録要求メッセージ内で、該ＨＮＢの能力（オープン、クローズド、又はハイブリッド）をＨＮＢ−ＧＷ１５に示すことができる。
【００４０】
【表３】
0005618108.tif 000004
【００４１】
９．２．ｙ  ＨＮＢ能力情報
ＨＮＢの能力に関する情報を提供するために該ＨＮＢからＨＮＢ−ＧＷにＨＮＢ能力情報ＩＥが送信される。
【００４２】
【表４】
0005618108.tif 000005
【００４３】
オプション３：ＨＮＢ−ＧＷ１５のＯＡＭ（オペレーション及びメンテナンス）機能は、ＨＮＢ１１ごとにＨＮＢアクセスモードを記憶する。ＨＮＢ−ＧＷ１５においてＨＮＢ登録が成功すると、該ＨＮＢ−ＧＷ１５は、ＯＡＭデータベース（図示せず）からＨＮＢアクセスモードをリトリーブし、それに応じてアクセス制御を実行する。
【００４４】
ＵＥ登録手順
上述した可能なオプションに基づいて、ＨＮＢ−ＧＷ１５は、ＨＮＢ登録手順中にＨＮＢアクセス制御モードを知る。ＨＮＢ−ＧＷ１５は、ＨＮＢ１１が自身の登録を取り消すか、又はこの情報を別のＨＮＢＡＰ手順を介して更新するまで、この情報を、さらなる使用のために記憶する。１つの実施形態では、移動電話登録（図６に示す）を以下のステップを使用して実行する。
１．移動電話（ＭＴ）３は、ＨＮＢ１１にキャンプオンすると、該ＨＮＢ１１とＲＲＣ接続を確立することによって初期ＮＡＳ手順（たとえばＬＵ手順）を始動する。
２．次に、ＭＴ３は、ＮＡＳレベルアイデンティティ（ＩＭＳＩ又はＴＭＳＩ、Ｐ−ＴＭＳＩ等）を有する初期ＮＡＳメッセージ（たとえばロケーション更新要求メッセージ）を搬送するＲＲＣ初期直接転送メッセージを送信する。
３．ＨＮＢ１１は、ＨＮＢ−ＧＷ１５へのＭＴ３の登録を始動する。ＨＮＢ１１がクローズドアクセスモード又はハイブリッドアクセスモードである場合、該ＨＮＢは、ＲＲＣ接続確立メッセージ又は初期直接転送メッセージにおいて移動電話３のＩＭＳＩが受信されていない場合にそのようなアイデンティティを得るために、移動電話登録手順を開始する前にＮＡＳ共通ＩＤ手順を実行する。
４．ＨＮＢ１１は、ＩＭＳＩ及びアクセス制御リストに基づいて、オプションでアクセス制御を実行することができる。
５．３Ｇ  ＨＮＢ１１は、移動電話アイデンティティ（クローズド／ハイブリッドアクセスＨＮＢの場合はＩＭＳＩ、又はオープンアクセスＨＮＢの場合はＴＭＳＩ／ＩＭＳＩ）を含む、ＨＮＢＡＰ  ＵＥ登録要求を送信することによって、移動電話３をＨＮＢ−ＧＷ１５に登録することを試みる。
６．ＨＮＢ１１がオープンアクセスモードである場合、ＨＮＢ−ＧＷ１５は移動電話３登録を受理し、移動電話３にコンテキストＩＤを割り当てる。
７．ＨＮＢ１１がクローズドアクセスモードである場合、ＨＮＢ−ＧＷ１５はその特定の３Ｇ  ＨＮＢを利用することを試みる特定の移動電話３についてアクセス制御を実行する。
８．ＨＮＢ１１がハイブリッドアクセスモードである場合、ＨＮＢ−ＧＷ１５はその特定の３Ｇ  ＨＮＢを利用することを試みる特定の移動電話３についてアクセス制御を実行する。アクセス制御が成功すると、ＨＮＢ−ＧＷ１５は移動電話３の登録を受理し、移動電話３にコンテキストＩＤを割り当てる。この場合、移動電話３は、ＣＳＧ移動電話とみなされる。この情報は記憶され、サービス差別化等のような目的のために使用することができる。一方、アクセス制御が失敗した場合であっても、ＨＮＢ−ＧＷ１５は移動電話３の登録を受理し、該移動電話３にコンテキストＩＤを割り当てる。しかしながら、この場合、移動電話３は非ＣＳＧ移動電話とみなされる（その情報は記憶され、サービス差別化等のような目的のために使用することができる）。
９．ＨＮＢ−ＧＷは、移動電話登録要求を受理する場合、一意のコンテキストＩＤを含むＵＥ登録受理メッセージをＨＮＢに送信する。
１０．ＨＮＢ１１は、移動電話登録要求メッセージの完了に成功すると、ＲＡＮＡＰ初期ＵＥメッセージを含む接続メッセージを送信する。
１１．ＨＮＢ−ＧＷ１５は、ＲＵＡ接続メッセージを受信すると、コアネットワーク８へのＳＣＣＰ接続確立を実行する。ＨＮＢ−ＧＷ１５はＳＣＣＰ  ＣＲメッセージ内に初期ＵＥメッセージを含むことができる。代替的に、ＨＮＢ−ＧＷ１５は、ＳＣＣＰ接続確立の確立に成功すると初期ＵＥメッセージを送信する。
【００４５】
変更形態及び代替形態
上記で詳細な実施形態が説明された。当業者であれば理解するように、上記の実施形態に対し、該実施形態において具現化される本発明から依然として利益を受けながら、複数の変更及び代替を行うことができる。
【００４６】
上記の実施形態では、移動電話ベースの通信システムが説明された。当業者であれば理解するように、本出願において記載されるシグナリング技法を他の通信システムに用いることができる。他の通信ノード又は通信デバイスは、たとえば、個人用携帯情報端末、ラップトップコンピュータ、ウェブブラウザ等のようなユーザデバイスを含むことができる。
【００４７】
上記の実施形態では、複数のソフトウェアモジュールが説明された。当業者であれば理解するように、それらのソフトウェアモジュールは、コンパイルされた形式でもコンパイルされていない形式でも提供することができ、コンピュータネットワークを介した信号として又は記録媒体上で、基地局又は移動電話に供給することができる。さらに、このソフトウェアの部分又は全てによって実行される機能は、１つ又は複数の専用ハードウェア回路を使用して実行することができる。しかしながら、ソフトウェアモジュールの使用によって、基地局５及び移動電話３の機能を更新するために該基地局５及び該移動電話を更新するのが容易になるため、ソフトウェアモジュールの使用が好ましい。
【００４８】
当業者には様々な他の変更形態が明らかであり、ここではこれ以上詳細には説明しない。
【００４９】
以下は本発明を現在提案されている３ＧＰＰ標準規格において実施することができる方法の詳細な説明である。様々な特徴が重要又は必須であるものとして説明されているが、これは、たとえば標準規格によって課される他の要件に起因して、提案される３ＧＰＰ標準規格にのみ当てはまる場合がある。したがって、これらの表現は本発明をいかなる形でも限定するものと解釈されるべきではない。
【００５０】
１  序文
最近のＲＡＮ＃３ミーティング期間中に、ＨＮＢ登録手順が合意され、ステージ２文書に取り込まれた。ＨＮＢ登録要求メッセージ内でＨＮＢからＨＮＢ−ＧＷに送信されるＩＥのリストは、現在論議されており、幾つかのＩＥ［２］が既に合意されている。この寄稿は、ＨＮＢ登録要求メッセージに含まれるＨＮＢ能力情報について考察する。
【００５１】
プレリリース８ＵＥは、実フィールドにかなりの長時間にわたり存在し続けることが想定される。したがって、ネットワークはプレリリース８及びＣＳＧ  ＵＥを同時にサポートしなくてはならない。また、アクセス制御メカニズムはＨＮＢ−ＧＷにおいて必須であるのに対し、プレリリース８ＵＥのＨＮＢにおいてオプションであることが既に合意されている。さらに、ＨＮＢ展開の発展シナリオでは、ＨＮＢは様々なアクセス制御メカニズム、すなわち「オープン」、「クローズド」、及び「ハイブリッド」で動作することができると認識されている。そのような合意は既にＳＡ１［１］においてなされている。明確であるように、ＨＮＢがオープンアクセス又はハイブリッドアクセスである場合、ＨＮＢ−ＧＷにおける必須アクセス制御はプレリリース８ＵＥには必要とされない。したがって、効率的に機能するために、ＨＮＢアクセスモード能力がＨＮＢ−ＧＷに知られなくてはならないことが既に必要である。
【００５２】
２  考察
４．１．２．１  背景
［１］において言及したように、ＨＮＢ／ＨｅＮＢについて３つのタイプのアクセスモードが規定されている。
・オープンアクセスモード：ＨＮＢ／ＨｅＮＢは通常のセル、すなわち非ＣＳＧセルとして動作する。
・クローズドアクセスモード：ＨＮＢ／ＨｅＮＢはＣＳＧセルとして動作する。これは、ＲＥｌ−８において規定されるモードである。これはＣＳＧメンバのみがアクセスを許可されるＣＳＧセルである。
・ハイブリッドアクセスモード：同時に非ＣＳＧセルがアクセスを許可されるＣＳＧセル。
【００５３】
ＬＳ回答［１］はリリース９について言及しているが、運営者は、リリース８の時間スケールに影響を及ぼさない限りハイブリッドアクセスモードがリリース８において実装されることを推奨したいということが明確に述べられている。
【００５４】
ＨＮＢがオープンアクセス又はハイブリッドアクセスであるときのＨＮＢ−ＧＷにおける不必要なアクセス制御を回避するために、ＨＮＢ−ＧＷはＨＮＢのアクセスモード能力を知らなくてはならない。
【００５５】
この論文は、以下のセクションにおいて可能な解決策のうちのいくつかを考察する。
【００５６】
２．２  ＨＮＢ登録手順
ＨＮＢ登録手順の目的は、ＨＮＢをＨＮＢ−ＧＷに登録して、該ＨＮＢ−ＧＷが該ＨＮＢに対しサービス及びコアネットワーク接続性を提供することを可能にすることである。
【００５７】
オプション１：ＨＮＢ−ＧＷは、ＨＮＢから受信したアクセス制御リストＩＥに基づいて該ＨＮＢのアクセスモードを推測することができる。したがって、ＨＮＢＡＰ  ＨＮＢ登録要求メッセージ内にオプションのアクセス制御リストＩＥを含むことが提案される。ＨＮＢがクローズドアクセスモードである場合、該ＨＮＢはＨＮＢＡＰ登録要求メッセージ内にオプションのアクセス制御リストＩＥを含む。そうではなく、ＨＮＢがオープンアクセスモードである場合、該ＨＮＢはＨＮＢＡＰ  ＨＮＢ登録要求メッセージ内にオプションのアクセス制御リストＩＥを含まない。したがって、新たなアクセス制御リストＩＥをＨＮＢＡＰ  ＨＮＢ登録要求メッセージ内に含める必要がある。
【００５８】
４．２．  ＨＮＢ登録要求
このメッセージは、ＨＮＢ−ＧＷにおいてＨＮＢを登録するために、該ＨＮＢによって該ＨＮＢ−ＧＷに送信される。
【００５９】
方向：ＨＮＢ→ＨＮＢ−ＧＷ
【００６０】
【表５】
0005618108.tif 000006
【００６１】
注記１：ＨＮＢ−ＧＷは動作の「オープン」アクセスモード及び「ハイブリッド」アクセスモードについて同じ処理を必要とすることが想定される。
【００６２】
【表６】
0005618108.tif 000007
【００６３】
注記１：上記のオプションは、ＨＮＢ−ＧＷの観点から、オープンアクセスＨＮＢ及びハイブリッドアクセスＨＮＢが同じであると想定する。したがって、ハイブリッドモードＨＮＢがＨＮＢ−ＧＷにＡＣＬに関して通知する必要がないことを想定する。現在のところ、標準規格においてＨＮＢ−ＧＷがハイブリッドＨＮＢのＡＣＬを有する必要があるか否かは明確でない。ＨＮＢ−ＧＷがハイブリッドＨＮＢのＡＣＬを有する必要がある場合、このオプションは機能しない。
【００６４】
注記２：仕様書において、ＡＣＬ内にＩＭＳＩを有しないクローズドモードＨＮＢを有することが可能であるか否かは明確でない。クローズドＨＮＢが空ＡＣＬを有することができないと想定される場合、ＨＮＢＡＰ  ＨＮＢ登録要求メッセージにおいてアクセス制御リストＩＥが存在必須でなくてはならない。このため、ＨＮＢ−ＧＷがＨＮＢＡＰ  ＨＮＢ登録要求において空アクセス制御リストＩＥを受信する場合、ＨＮＢはオープンアクセスモードとみなされる。そうではなく、少なくとも１つのエントリがアクセス制御リストＩＥ内に存在する場合、ＨＮＢはクローズドモードＨＮＢであるとみなされる。
【００６５】
オプション２：ＨＮＢは、新たなＨＮＢ能力情報ＩＥを使用することによって、ＨＮＢ登録手順中に、ＨＮＢＡＰ  ＨＮＢ登録要求メッセージ内で、該ＨＮＢの能力を示すことができる。
【００６６】
【表７】
0005618108.tif 000008
【００６７】
４．３  ９．２．ｙ  ＨＮＢ能力情報
ＨＮＢの能力に関する情報を提供するために該ＨＮＢからＨＮＢ−ＧＷにＨＮＢ能力情報ＩＥが送信される。
【００６８】
【表８】
0005618108.tif 000009
【００６９】
オプション３：ＨＮＢ−ＧＷのＯＡＭは、ＨＮＢごとにＨＮＢアクセスモードを記憶する。ＨＮＢ−ＧＷにおいてＨＮＢ登録が成功すると、該ＨＮＢ−ＧＷは、ＯＡＭデータベースからＨＮＢアクセスモードをリトリーブし、それに応じてアクセス制御を実行する。
【００７０】
２．２  ＵＥ登録手順
セクション２．１に述べた可能な解決策に基づいて、ＨＮＢ−ＧＷは、ＨＮＢ登録手順中にＨＮＢアクセス制御モードを知る。ＨＮＢ−ＧＷは、ＨＮＢが自身の登録を取り消すか、又はこの情報を別のＨＮＢＡＰ手順を介して更新するまで、この情報を、さらなる使用のために記憶する。図６において、移動電話（ＴＥ）３の代わりにＵＥが使用される。ＵＥ登録は以下のステップを使用して実行される。
１２．ＵＥは、ＨＮＢにキャンプオンすると、ＨＮＢとＲＲＣ接続を確立することによって初期ＮＡＳ手順（たとえばＬＵ手順）を始動する。
１３．次に、ＵＥは、ＮＡＳレベルアイデンティティ（ＩＭＳＩ又はＲＭＳＩ、Ｐ−ＴＭＳＩ等）を有する初期ＮＡＳメッセージ（たとえばロケーション更新要求メッセージ）を搬送するＲＲＣ初期直接転送メッセージを送信する。
１４．ＨＮＢは、ＨＮＢ−ＧＷへのＵＥの登録を始動する。ＨＮＢがクローズド／ハイブリッドアクセスモードである場合、該ＨＮＢは、ＲＲＣ接続確立メッセージ又は初期直接転送メッセージにおいてＩＭＳＩが受信されていない場合にＵＥ  ＩＭＳＩを得るために、ＵＥ登録手順を開始する前にＮＡＳ共通ＩＤ手順を実行する。
１５．ＨＮＢは、ＩＭＳＩ及びアクセス制御リストに基づいて、オプションでアクセス制御を実行することができる。
１６．３Ｇ  ＨＮＢは、ＵＥアイデンティティ（クローズド／ハイブリッドアクセスＨＮＢの場合はＩＭＳＩ、又はオープンアクセスＨＮＢの場合はＴＭＳＩ／ＩＭＳＩ）を含む、ＨＮＢＡＰ  ＵＥ登録要求を送信することによって、ＵＥをＨＮＢ−ＧＷに登録することを試みる。
１７．ＨＮＢがオープンアクセスモードである場合、ＨＮＢ−ＧＷはＵＥ登録を受理し、ＵＥにコンテキストＩＤを割り当てる。
１８．ＨＮＢがクローズドアクセスモードである場合、ＨＮＢ−ＧＷはその特定の３Ｇ  ＨＮＢを利用することを試みる特定のＵＥについてアクセス制御を実行する。
１９．ＨＮＢがハイブリッドアクセスモードである場合、ＨＮＢ−ＧＷはその特定の３Ｇ  ＨＮＢを利用することを試みる特定のＵＥについてアクセス制御を実行する。アクセス制御が成功すると、ＨＮＢ−ＧＷはＵＥ登録を受理し、ＵＥにコンテキストＩＤを割り当てる。ＵＥは、ＣＳＧ  ＵＥとみなされる。これは、サービス差別化等のような目的のために使用することができる。アクセス制御が失敗した場合でも、ＨＮＢ−ＧＷはＵＥ登録を受理し、該ＵＥにコンテキストＩＤを割り当てる。しかしながら、ＵＥは非ＣＳＧ  ＵＥとみなされ、これはサービス差別化等のような目的のために使用することができる。
２０．ＨＮＢ−ＧＷは、ＵＥ登録要求を受理する場合、一意のコンテキストＩＤを含むＵＥ登録受理メッセージをＨＮＢに送信する。
２１．ＨＮＢは、ＵＥ登録要求メッセージの完了に成功すると、ＲＡＮＡＰ初期ＵＥメッセージを含む接続メッセージを送信する。
２２．ＨＮＢ−ＧＷは、ＲＵＡ接続メッセージを受信すると、ＣＮへのＳＣＣＰ接続確立を実行する。ＨＮＢ−ＧＷはＳＣＣＰ  ＣＲメッセージ内に初期ＵＥメッセージを含むことができる。代替的に、ＨＮＢ−ＧＷは、ＳＣＣＰ接続確立の確立に成功すると初期ＵＥメッセージを送信する。
【００７１】
３  結論
ＨＮＢＡＰ  ＨＮＢ登録要求メッセージに新たなＨＮＢ能力情報ＩＥを導入する。
【図１】
0005618108.tif 000010
【図２】
0005618108.tif 000011
【図３】
0005618108.tif 000012
【図４】
0005618108.tif 000013
【図５】
0005618108.tif 000014
【図６】
0005618108.tif 000015